(57)【要約】【課題】組幅が変更されたときであっても同一長さのクロスメンバを使用できるクロスメンバユニットを提供する。【解決手段】短い組幅の場合は、４つのクロスメンバ締結孔５４ａ（５６ａ）にそれぞれ４つのガセット締結孔４４ａ（４６ａ）が合致してこれらの締結孔５４ａ（５６ａ），４４ａ（４６ａ）にリベット４０ａを差し込めるが、４つのクロスメンバ締結孔５４ｂ（５６ｂ）と４つのガセット締結孔４４ｂ（４６ｂ）は合致しないで互いにずれる。一方、長い組幅の場合は、４つのクロスメンバ締結孔５４ｂ（５６ｂ）にそれぞれ４つのガセット締結孔４４ｂ（４６ｂ）が合致してこれらの締結孔５４ｂ（５６ｂ），４４ｂ（４６ｂ）にリベット４０ａを差し込めるが、４つのクロスメンバ締結孔５４ａ（５６ａ）と４つのガセット締結孔４４ａ（４６ａ）は合致しないで互いにずれる。【選択図】      図４
2004249794.tif 000002
【特許請求の範囲】
【請求項１】
車両の長さ方向に延びると共にこの長さ方向に直交する幅方向に所定間隔離れて配置された一対のサイドメンバそれぞれに固定される一対のガセットと、前記幅方向に延びると共にその長手方向両端部がそれぞれ前記一対のガセットに固定されるクロスメンバとからなるクロスメンバユニットにおいて、
前記ガセットは、
前記一対のサイドメンバの間隔の変更に対応する複数のガセット締結孔が形成されたものであり、且つ、
前記クロスメンバは、
前記一対のサイドメンバの変更された間隔に応じて前記複数のガセット締結孔のいずれかに合致するクロスメンバ締結孔が形成されたものであることを特徴とするクロスメンバユニット。
【請求項２】
車両の長さ方向に延びると共にこの長さ方向に直交する幅方向に所定間隔離れて配置された一対のサイドメンバそれぞれに固定される一対のガセットと、前記幅方向に延びると共にその長手方向両端部がそれぞれ前記一対のガセットに固定されるクロスメンバとからなるクロスメンバユニットにおいて、
前記ガセットは、
前記長さ方向及び前記幅方向それぞれに所定間隔離れて形成された複数のガセット締結孔からなる第１ガセット締結孔グループと、
この第１ガセット締結孔グループを構成する各ガセット締結孔から前記長さ方向及び前記幅方向それぞれに所定間隔離れて形成された複数のガセット締結孔からなる第２ガセット締結孔グループとを有するものであり、
前記クロスメンバは、
前記第１ガセット締結孔グループ及び前記第２ガセット締結孔グループ双方のいずれかに選択的に合致する複数のクロスメンバ締結孔が形成されたものであることを特徴とするクロスメンバユニット。
【請求項３】
前記複数のクロスメンバ締結孔は、
第１ガセット締結孔グループを構成する複数のガセット締結孔にそれぞれ合致する複数のクロスメンバ締結孔からなる第１クロスメンバ締結孔グループと、
第２ガセット締結孔グループを構成する複数のガセット締結孔にそれぞれ合致する複数のクロスメンバ締結孔からなる第２クロスメンバ締結孔グループとからなるものであることを特徴とする請求項２に記載のクロスメンバユニット。
【発明の詳細な説明】
【０００１】
【発明の属する技術分野】
本発明は、一対のサイドメンバそれぞれに固定される一対のガセットと、この一対のガセットにその長手方向両端部が固定されるクロスメンバとからなるクロスメンバユニットに関する。
【０００２】
【従来の技術】
中型や大型のトラック・バスなどのフレーム（車枠）として、はしご形フレームと呼ばれるものが使用されることがある。このはしご形フレームは、通常、車両の長さ方向に延びると共にこの長さ方向に直交する幅方向（車両の幅方向）に所定間隔離れて配置された一対のサイドメンバ（縦材）と、このサイドメンバに長手方向両端部が固定された複数本のクロスメンバ（横材）などから構成されている。また、クロスメンバの長手方向両端部をサイドメンバに固定するためにガセットを用いる技術が知られている。
【０００３】
図７を参照して、ガセットを用いたフレームについて説明する。
【０００４】
図７は、ガセットを用いたフレームを示す斜視図である。
【０００５】
図７に示すフレーム１０は、車両の長さ方向（矢印Ｌ方向）に延びると共にこの長さ方向に直交する幅方向（矢印Ｗ方向）に所定間隔離れて配置された一対のサイドメンバ（縦材）１２，１２と、この一対のサイドメンバ１２，１２に長手方向両端部が固定された複数本（図７では一本だけを示す）のクロスメンバ（横材）１４などから構成されている。クロスメンバ１４の長手方向両端部をサイドメンバ１２，１２に固定するためにガセット１６が使用される。ガセット１６はクロスメンバ１４の長手方向両端部にリベット１６ａで固定されると共にサイドメンバ１２，１２にもリベット１６ｂで固定される。
【０００６】
ところで、上記したフレームを備えた車両では、車両のタイプ（車種）によってサイドメンバ１２，１２の間隔（一本のサイドメンバと他の一本のサイドメンバとの距離であり、組幅という）が変更されることがある。車種によって組幅が相違する場合、組幅に応じた長さのクロスメンバ１４が必要となり、組幅に応じたサイドメンバ１２，１２とクロスメンバ１４とが組み合わされる。
【０００７】
【発明が解決しようとする課題】
組幅の種類が多いときは、この種類の数だけ、長さの互いに異なるクロスメンバが作製される。このように組幅によって長さの異なるクロスメンバが存在する場合、サイドメンバとクロスメンバとの組み合わせを間違えるおそれがある。
【０００８】
また、互いに長さの異なるクロスメンバを作製するためには、その長さに応じた金型や治具が必要となる。従って、長さの異なるクロスメンバが多くなるほどコストアップになる。
【０００９】
本発明は、上記事情に鑑み、組幅が変更されたときであっても同一長さのクロスメンバを使用できるクロスメンバユニットを提供することを目的とする。
【００１０】
【課題を解決するための手段】
上記目的を達成するための本発明の第１のクロスメンバユニットは、車両の長さ方向に延びると共にこの長さ方向に直交する幅方向に所定間隔離れて配置された一対のサイドメンバそれぞれに固定される一対のガセットと、前記幅方向に延びると共にその長手方向両端部がそれぞれ前記一対のガセットに固定されるクロスメンバとからなるクロスメンバユニットにおいて、
（１）前記ガセットは、前記一対のサイドメンバの間隔の変更に対応する複数のガセット締結孔が形成されたものであり、且つ、
（２）前記クロスメンバは、前記一対のサイドメンバの変更された間隔に応じて前記複数のガセット締結孔のいずれかに合致するクロスメンバ締結孔が形成されたものであることを特徴とするものである。
【００１１】
また、上記目的を達成するための本発明の第２のクロスメンバユニットは、車両の長さ方向に延びると共にこの長さ方向に直交する幅方向に所定間隔離れて配置された一対のサイドメンバそれぞれに固定される一対のガセットと、前記幅方向に延びると共にその長手方向両端部がそれぞれ前記一対のガセットに固定されるクロスメンバとからなるクロスメンバユニットにおいて、
（３）前記ガセットは、
（３―１）前記長さ方向及び前記幅方向それぞれに所定間隔離れて形成された複数のガセット締結孔からなる第１ガセット締結孔グループと、
（３―２）この第１ガセット締結孔グループを構成する各ガセット締結孔から前記長さ方向及び前記幅方向それぞれに所定間隔離れて形成された複数のガセット締結孔からなる第２ガセット締結孔グループとを有するものであり、
（４）前記クロスメンバは、
（４―１）前記第１ガセット締結孔グループ及び前記第２ガセット締結孔グループ双方のいずれかに選択的に合致する複数のクロスメンバ締結孔が形成されたものであることを特徴とするものである。
【００１２】
ここで、
（５）前記複数のクロスメンバ締結孔は、
（５―１）第１ガセット締結孔グループを構成する複数のガセット締結孔にそれぞれ合致する複数のクロスメンバ締結孔からなる第１クロスメンバ締結孔グループと、
（５−２）第２ガセット締結孔グループを構成する複数のガセット締結孔にそれぞれ合致する複数のクロスメンバ締結孔からなる第２クロスメンバ締結孔グループとからなるものであってもよい。
【００１３】
【発明の実施の形態】
図面を参照して本発明の実施形態を説明する。
［第１実施形態］
【００１４】
図１から図４までを参照して、本発明の第１実施形態を説明する。
【００１５】
図１は、本発明のクロスメンバユニットが組み込まれたフレームを示す平面図である。図２（ａ）は、本発明のクロスメンバユニットの一例を構成するガセットを示す斜視図であり、（ｂ）、本発明のクロスメンバユニットの一例を構成するクロスメンバの一部を示す斜視図である。図３（ａ）は、組幅が短いときのフレームを示す正面図（図１の矢印Ｆ方向から見た図）であり、（ｂ）は、組幅が長いときのフレームを示す正面図である。図４（ａ）は、図３（ａ）のクロスメンバの長手方向一端部を示す拡大図であり、（ｂ）は、図３（ｂ）のクロスメンバの長手方向一端部を示す拡大図である。
【００１６】
フレーム３０は、車両の長さ方向（図１及び図２の矢印Ｌ方向であり、図３及び図４の紙面に垂直な方向）に延びると共にこの長さ方向に直交する幅方向（矢印Ｗ方向）に所定間隔離れて配置された一対のサイドメンバ（縦材）３２，３２を備えている。このサイドメンバ３２，３２は、図３及び図４に示すように、横断面が「コ」字状のものである。一対のサイドメンバ３２，３２には、その長手方向（矢印Ｌ方向）に所定間隔で複数のガセット４０がリベット３２ａで固定されている。これら複数のガセット４０は、図１に示すように、幅方向（矢印Ｗ方向）において向き合うように対になって配置されている。この一対のガセット４０，４０にはクロスメンバ５０がリベット４０ａで固定されている。
【００１７】
上記したフレーム３０では、車両のタイプ（車種）によってサイドメンバ３２，３２の間隔（一本のサイドメンバ３２と他の一本のサイドメンバ３２との距離であり、組幅という）が変更されても、ガセット４０とクロスメンバ５０が使用できるようになっている。このための構造を説明する。なお、組幅の差は、図４のＤで示される。
【００１８】
ガセット４０は、「コ」字状の板材からなるものであり、サイドメンバ３２に接触して固定される側壁４２と、クロスメンバ５０に接触して固定される上壁４４及び下壁４６とを有する。上壁４４と下壁４６は向き合って対をなすものである。側壁４２には、ガセット４０をサイドメンバ３２に固定するための複数の締結孔４２ａが形成されている。サイドメンバ３２には、側壁４２の締結孔４２ａに合致する締結孔（図示せず）が形成されており、これらの締結孔４２ａ等を合致させてリベット３２ａで固定する。これにより、サイドメンバ３２にガセット４０が固定される。
【００１９】
上壁４４には、矢印Ｌ方向及び矢印Ｗ方向それぞれに所定間隔離れて複数のガセット締結孔４４ａ，４４ｂが形成されている。これら複数のガセット締結孔４４ａ，４４ｂは、一対のサイドメンバ３２，３２の組幅の変更に応じられるように形成されている。複数のガセット締結孔４４ａ（本発明にいう第１ガセット締結孔グループの一例である）は、図２（ａ）に示すように、矢印Ｌ方向においては一定間隔離れて対になっており、この対になったものが矢印Ｗ方向に一定間隔離れて更に一対形成されている。従って、４つのガセット締結孔４４ａが一組になっている。
【００２０】
複数のガセット締結孔４４ｂ（本発明にいう第２ガセット締結孔グループの一例である）も、図２（ａ）に示すように，矢印Ｌ方向においては一定間隔離れて対になっており、この一対のガセット締結孔４４ｂは、一対のガセット締結孔４４ａと一対のガセット締結孔４４ａとの間に配置されている。また、一対のガセット締結孔４４ｂは、矢印Ｗ方向に一定間隔離れて更に一対形成されている。従って、４つのガセット締結孔４４ｂが一組になっている。なお、下壁４６にも同様に４つのガセット締結孔４６ａと４つのガセット締結孔４６ｂが形成されている。
【００２１】
上壁４４と下壁４６にそれぞれ４つずつ形成されたガセット締結孔４４ａ，４６ａは、後述するように、短い組幅のときに使用される。一方、上壁４４と下壁４６にそれぞれ４つずつ形成されたガセット締結孔４４ｂ，４６ｂは、長い組幅のときに使用される。
【００２２】
クロスメンバ５０は、横断面が「コ」字状の板材からなるものであり、矢印Ｗ方向に広がる側壁５２と、長手方向両端部が一対のガセット４０に接触して固定される上壁５４及び下壁５６とを有する。上壁５４と下壁５６は向き合って対をなすものである。
【００２３】
上壁５４には、矢印Ｌ方向及び矢印Ｗ方向それぞれに所定間隔離れて複数のクロスメンバ締結孔５４ａ，５４ｂが形成されている。これら複数のクロスメンバ締結孔５４ａ，５４ｂは、一対のサイドメンバ３２，３２の組幅の変更に応じられるように形成されている。複数のクロスメンバ締結孔５４ａ（本発明にいう第１クロスメンバ締結孔グループの一例である）は、図２（ｂ）に示すように、矢印Ｌ方向においては一定間隔離れて対になっており、この対になったものが矢印Ｗ方向に一定間隔離れて更に一対形成されている。従って、４つのクロスメンバ締結孔５４ａが一組になっている。
【００２４】
複数のクロスメンバ締結孔５４ｂ（本発明にいう第２クロスメンバ締結孔グループの一例である）も、図２（ｂ）に示すように，矢印Ｌ方向においては一定間隔離れて対になっており、この一対のクロスメンバ締結孔５４ｂは、一対のクロスメンバ締結孔５４ａと一対のクロスメンバ締結孔５４ａとの間に配置されている。また、一対のクロスメンバ締結孔５４ｂは、矢印Ｗ方向に一定間隔離れて更に一対形成されている。従って、４つのクロスメンバ締結孔５４ｂが一組になっている。なお、下壁５６にも同様に４つのクロスメンバ締結孔５６ａと４つのクロスメンバ締結孔５６ｂが形成されている。
【００２５】
上壁５４と下壁５６にそれぞれ４つずつ形成されたクロスメンバ締結孔５４ａ，５６ａは、図３（ａ）と図４（ａ）に示すように、短い組幅のときに使用される。一方、上壁５４と下壁５６にそれぞれ４つずつ形成されたクロスメンバ締結孔５４ｂ，５６ｂは、図３（ｂ）と図４（ｂ）に示すように、長い組幅のときに使用される。
【００２６】
短い組幅の場合は、図３（ａ）と図４（ａ）に示すように、４つのクロスメンバ締結孔５４ａ（５６ａ）にそれぞれ４つのガセット締結孔４４ａ（４６ａ）が合致してこれらの締結孔５４ａ（５６ａ），４４ａ（４６ａ）にリベット４０ａを差し込めるが、４つのクロスメンバ締結孔５４ｂ（５６ｂ）と４つのガセット締結孔４４ｂ（４６ｂ）は合致しないで互いにずれる。
【００２７】
一方、長い組幅の場合は、図３（ｂ）と図４（ｂ）に示すように、４つのクロスメンバ締結孔５４ｂ（５６ｂ）にそれぞれ４つのガセット締結孔４４ｂ（４６ｂ）が合致してこれらの締結孔５４ｂ（５６ｂ），４４ｂ（４６ｂ）にリベット４０ａを差し込めるが、４つのクロスメンバ締結孔５４ａ（５６ａ）と４つのガセット締結孔４４ａ（４６ａ）は合致しないで互いにずれる。
【００２８】
上述したように、組幅の変更に対応させて、ガセット４０に第１ガセット締結孔グループ４４ａ，４６ａと第２ガセット締結孔グループ４４ｂ，４６ｂを形成すると共に、クロスメンバ５０に第１クロスメンバ締結孔グループ５４ａ，５６ａと第２クロスメンバ締結孔グループ５４ｂ，５６ｂを形成しておくことにより、同じ長さのクロスメンバであっても組幅の変更に容易に対応できる。
［第２実施形態］
【００２９】
図５と図６を参照して、本発明の第２実施形態を説明する。
【００３０】
図５（ａ）は、本発明のクロスメンバユニットの他の例を構成するガセットを示す斜視図であり、（ｂ）、本発明のクロスメンバユニットの他の例を構成するクロスメンバの一部を示す斜視図である。図６（ａ）は、組幅が短いときのガセットとクロスメンバを拡大して示す平面図であり、（ｂ）は、組幅が長いときのガセットとクロスメンバを拡大して示す平面図である。
【００３１】
ガセット１４０は、「コ」字状の板材からなるものであり、サイドメンバ３２（図１等参照）に接触して固定される側壁１４２と、クロスメンバ１５０に接触して固定される上壁１４４及び下壁１４６とを有する。上壁１４４と下壁１４６は向き合って対をなすものである。側壁１４２には、ガセット１４０をサイドメンバ３２に固定するための複数の締結孔１４２ａが形成されている。サイドメンバ３２には、側壁１４２の締結孔１４２ａに合致する締結孔（図示せず）が形成されており、これらの締結孔１４２ａ等を合致させてリベット３２ａ（図４参照）で固定する。これにより、サイドメンバ３２にガセット１４０が固定される。
【００３２】
上壁１４４には、矢印Ｌ方向及び矢印Ｗ方向に対して例えば４５°傾斜した方向に所定間隔離れて複数のガセット締結孔１４４ａ，１４４ｂが形成されている。これら複数のガセット締結孔１４４ａ，１４４ｂは、一対のサイドメンバ３２，３２の組幅の変更に応じられるように形成されている。複数のガセット締結孔１４４ａ（本発明にいう第１ガセット締結孔グループの一例である）は、図６（ａ）に示すように、矢印Ｌ方向に対して例えば４５°傾斜した方向においては一定間隔離れて対になっており、この対になったものが矢印Ｌ方向において左右対称に更に一対形成されている。従って、４つのガセット締結孔１４４ａが一組になっている。
【００３３】
複数のガセット締結孔１４４ｂ（本発明にいう第２ガセット締結孔グループの一例である）も、図６（ａ）に示すように，矢印Ｌ方向に対して例えば４５°傾斜した方向おいては一定間隔離れて対になっており、この対になったものが矢印Ｌ方向において左右対称に更に一対形成されている。従って、４つのガセット締結孔１４４ｂが一組になっている．なお、下壁１４６にも同様に４つのガセット締結孔１４６ａと４つのガセット締結孔１４６ｂが形成されている。
【００３４】
上壁１４４と下壁１４６にそれぞれ４つずつ形成されたガセット締結孔１４４ａ，１４６ａは、後述するように、短い組幅のときに使用される。一方、上壁１４４と下壁１４６にそれぞれ４つずつ形成されたガセット締結孔１４４ｂ，１４６ｂは、長い組幅のときに使用される。
【００３５】
クロスメンバ１５０は、横断面が「コ」字状の板材からなるものであり、矢印Ｗ方向に広がる側壁１５２と、長手方向両端部が一対のガセット１４０に接触して固定される上壁１５４及び下壁１５６とを有する。上壁１５４と下壁１５６は向き合って対をなすものである。
【００３６】
上壁１５４には、矢印Ｌ方向に対して例えば４５°傾斜した方向に所定間隔離れて複数のクロスメンバ締結孔１５４ａ，１５４ｂが形成されている。これら複数のクロスメンバ締結孔１５４ａ，１５４ｂは、一対のサイドメンバ３２，３２の組幅の変更に応じられるように形成されている。複数のクロスメンバ締結孔１５４ａ（本発明にいう第１クロスメンバ締結孔グループの一例である）は、図６（ｂ）に示すように、矢印Ｌ方向に対して例えば４５°傾斜した方向においては一定間隔離れて対になっており、この対になったものが矢印Ｌ方向において左右対称になるように更に一対形成されている。従って、４つのクロスメンバ締結孔１５４ａが一組になっている。
【００３７】
複数のクロスメンバ締結孔１５４ｂ（本発明にいう第２クロスメンバ締結孔グループの一例である）も、図６（ｂ）に示すように，矢印Ｌ方向に対して例えば４５°傾斜した方向においては一定間隔離れて対になっており、この一対のクロスメンバ締結孔１５４ｂは、一対のクロスメンバ締結孔１５４ａと一対のクロスメンバ締結孔１５４ａとの間に配置されている。また、一対のクロスメンバ締結孔１５４ｂは、矢印Ｌ方向において左右対称に更に一対形成されている。従って、４つのクロスメンバ締結孔１５４ｂが一組になっている。なお、下壁１５６にも同様に４つのクロスメンバ締結孔１５４ａと４つのクロスメンバ締結孔１５４ｂが形成されている。
【００３８】
上壁１５４と下壁１５６にそれぞれ４つずつ形成されたクロスメンバ締結孔１５４ａ，１５６ａは、図６（ａ）に示すように、短い組幅のときに使用される。一方、上壁１５４と下壁１５６にそれぞれ４つずつ形成されたクロスメンバ締結孔１５４ｂ，１５６ｂは、図６（ｂ）に示すように、長い組幅のときに使用される。
【００３９】
短い組幅の場合は、図６（ａ）に示すように、４つのクロスメンバ締結孔１５４ａ（１５６ａ）にそれぞれ４つのガセット締結孔１４４ａ（１４６ａ）が合致してこれらの締結孔１５４ａ（１５６ａ），１４４ａ（１４６ａ）にリベット４０ａ（図４参照）を差し込めるが、４つのクロスメンバ締結孔１５４ｂ（１５６ｂ）と４つのガセット締結孔１４４ｂ（１４６ｂ）は合致しないで互いにずれる。
【００４０】
一方、長い組幅の場合は、図６（ｂ）に示すように、４つのクロスメンバ締結孔１５４ｂ（１５６ｂ）にそれぞれ４つのガセット締結孔１４４ｂ（１４６ｂ）が合致してこれらの締結孔１５４ｂ（１５６ｂ），１４４ｂ（１４６ｂ）にリベット４０ａを差し込めるが、４つのクロスメンバ締結孔１５４ａ（１５６ａ）と４つのガセット締結孔１４４ａ（１４６ａ）は合致しないで互いにずれる。
【００４１】
上述したように、組幅の変更に対応させて、ガセット１４０に第１ガセット締結孔グループ１４４ａ，１４６ａと第２ガセット締結孔グループ１４４ｂ，１４６ｂを形成すると共に、クロスメンバ１５０に第１クロスメンバ締結孔グループ１５４ａ，１５６ａと第２クロスメンバ締結孔グループ１５４ｂ，１５６ｂを形成しておくことにより、同じ長さのクロスメンバであっても組幅の変更に容易に対応できる。
【００４２】
【発明の効果】
以上説明したように本発明の第１のクロスメンバユニットでは、一対のサイドメンバの間隔（組幅）が変更された場合、この変更された間隔に応じて、複数のガセット締結孔のいずれかにクロスメンバ締結孔が合致する。従って、組幅が変更されたときであって同一長さのクロスメンバを一対のサイドメンバに固定できる。
【００４３】
また、本発明の第２のクロスメンバユニットでは、一対のサイドメンバの間隔（組幅）が変更された場合、この変更された間隔に応じて、第１ガセット締結孔グループ若しくは第２ガセット締結孔グループのいずれかにクロスメンバ締結孔を合致させることができる。従って、組幅が変更されたときであって同一長さのクロスメンバを一対のサイドメンバに固定できる。
【００４４】
ここで、前記複数のクロスメンバ締結孔は、第１ガセット締結孔グループを構成する複数のガセット締結孔にそれぞれ合致する複数のクロスメンバ締結孔からなる第１クロスメンバ締結孔グループと、第２ガセット締結孔グループを構成する複数のガセット締結孔にそれぞれ合致する複数のクロスメンバ締結孔からなる第２クロスメンバ締結孔グループとからなるものである場合は、組幅の変更に対応させて、ガセットに第１ガセット締結孔グループと第２ガセット締結孔グループを形成すると共に、クロスメンバに第１クロスメンバ締結孔グループと第２クロスメンバ締結孔グループを形成しておくことにより、同じ長さのクロスメンバであっても組幅の変更に容易に対応できる。
【図面の簡単な説明】
【図１】本発明のクロスメンバユニットが組み込まれたフレームを示す平面図である。
【図２】（ａ）は、本発明のクロスメンバユニットの一例を構成するガセットを示す斜視図であり、（ｂ）、本発明のクロスメンバユニットの一例を構成するクロスメンバの一部を示す斜視図である。
【図３】（ａ）は、組幅が短いときのフレームを示す正面図（図１の矢印Ｆ方向から見た図）であり、（ｂ）は、組幅が長いときのフレームを示す正面図である。
【図４】（ａ）は、図３（ａ）のクロスメンバの長手方向一端部を示す拡大図であり、（ｂ）は、図３（ｂ）のクロスメンバの長手方向一端部を示す拡大図である。
【図５】（ａ）は、本発明のクロスメンバユニットの他の例を構成するガセットを示す斜視図であり、（ｂ）、本発明のクロスメンバユニットの他の例を構成するクロスメンバの一部を示す斜視図である。
【図６】（ａ）は、組幅が短いときのガセットとクロスメンバを拡大して示す平面図であり、（ｂ）は、組幅が長いときのガセットとクロスメンバを拡大して示す平面図である。
【図７】従来のガセットを用いたフレームを示す斜視図である。
【符号の説明】
３２  サイドメンバ
４０，１４０  ガセット
４４ａ，４６ａ，１４４ａ，１４６ａ  第１ガセット締結孔グループ
４４ｂ，４６ｂ，１４４ｂ，１４６ｂ  第２ガセット締結孔グループ
５０，１５０  クロスメンバ
５４ａ，５６ａ，１５４ａ，１５６ａ  第１クロスメンバ締結孔グループ
５４ｂ，５６ｂ，１５４ｂ，１５６ｂ  第２クロスメンバ締結孔グループ
【図１】
2004249794.tif 000003
【図２】
2004249794.tif 000004
【図３】
2004249794.tif 000005
【図４】
2004249794.tif 000006
【図５】
2004249794.tif 000007
【図６】
2004249794.tif 000008
【図７】
2004249794.tif 000009